(57)【要約】【課題】多様に出入りする表面形状の下地面が交差するコーナーに使用でき、仕上げシートにコーナーでのシャープな折り目を形成しうるコーナー下地材を提供する。【解決手段】内装用の仕上げシートが貼付けられる第１の下地面と第２の下地面が交差するコーナーに取付けられ、前記仕上げシートの下地を形成する断面Ｌ字状のコーナー下地材であって、折曲部から第１の下地面と第２の下地面の表面に沿って延びる一対の固定片を具え、かつ少なくとも一方の固定片に、Ｖ字状の切込みを複数隔設し、さらには、隣接する固定片の間に、前記Ｖ字状の切込みに連続する円形状の切欠きを設ける。【選択図】  図２
2004225359.tif 000002
【特許請求の範囲】
【請求項１】
内装用の仕上げシートが貼付けられる第１の下地面と第２の下地面が交差するコーナーに取付けられ、前記仕上げシートの下地を形成する断面Ｌ字状のコーナー下地材であって、
折曲部から第１の下地面と第２の下地面の表面に沿って延びる一対の固定片を具え、
かつ少なくとも一方の固定片に、Ｖ字状の切込みを複数隔設したことを特徴とするコーナー下地材。
【請求項２】
隣接する固定片の間に、前記Ｖ字状の切込みに連続する円形状の切欠きを設けたことを特徴とする請求項１記載のコーナー下地材。
【発明の詳細な説明】
【０００１】
【発明の属する技術分野】
本発明は、内装用の仕上げシートの表面を平滑に仕上げるため、壁、天井等が交差するコーナーに取付けられるコーナー下地材に関する。
【０００２】
【従来の技術】
近年、壁、天井等の内装は、石膏ボード、合板等板状部材で構成する下地面の上に、壁紙、壁クロス、樹脂シート等の仕上げシートを貼着する工法が普及し、板状部材の段差、隙間にパテを充填して平滑化した上に仕上げシートを貼着している。特に壁、天井等が交差するコーナーは、例えば、胴縁に固定された合板からなる板状部材と、天井裏で野縁受けで支持された野縁にビス固定された石膏ボードからなる板状部材が交差して形成されるため、支持構造、使用材料、作成される工程等が異なることから、隙間が発生し易く、パテの充填を必要とするが、前記隙間とともに入隅であるため、パテが厚くなり内向きのアールが形成され、その上に貼着される仕上げシートが交差部で湾曲面を形成し、シャープな折り目が得られない。
【０００３】
このため、図９に示すように、壁、天井等交差する下地面のコーナーに断面Ｌ字状のコーナー下地材ａを両面テープ等で取り付け、少量のパテで段差修正した上に仕上げシートｂを貼着することにより、仕上げシートｂにコーナーでのシャープな折り目を形成して外観を整えている。また前記交差する下地面が異なる支持構造、使用材料等で形成されるため、地震、交通振動等により交差する下地面が異なる方向に動くことがあるが、コーナー下地材ａがこの動きの仕上げシートｂへの直接的な伝播を防ぎ、これにより仕上げシートｂの亀裂発生を防止している。
（例えば特許文献１）。
【０００４】
【特許文献１】
特開２００１−２９３１１５号公報（請求項１）
【０００５】
【発明が解決しようとする課題】
しかしながら、コーナー下地材ａは断面Ｌ字状であるため、曲げ剛性が高く、長さ方向において湾曲、又は折り曲げ不能であり、このためアーチ状の天井、湾曲する壁等出入りする下地面が交差するコーナーに使用できなかった。
また、前記胴縁、野縁等の位置のズレ、下地面を構成する板状部材の反り等の誤差から生じる下地面表面の僅かな波打ち状の出入りに対しても、断面Ｌ字状のコーナー下地材ａは追従できず、これにより前記コーナー下地材ａと下地面間の段差を生み、仕上げシートｂ表面の平滑性を損なっていた。
【０００６】
本発明は、以上のような問題点に鑑み案出なされたもので、一対の固定片の少なくとも一方の固定片に、Ｖ字状の切込みを複数隔設することを基本とし、多様に出入りする表面形状の下地面が交差するコーナーに使用でき、仕上げシートにコーナーでのシャープな折り目を形成しうるコーナー下地材の提供を目的としている。
【０００７】
【課題を解決するための手段】
本発明のうち請求項１記載の発明は、内装用の仕上げシートが貼付けられる第１の下地面と第２の下地面が交差するコーナーに取付けられ、前記仕上げシートの下地を形成する断面Ｌ字状のコーナー下地材であって、折曲部から第１の下地面と第２の下地面の表面に沿って延びる一対の固定片を具え、かつ少なくとも一方の固定片に、Ｖ字状の切込みを複数隔設したことを特徴とする。
【０００８】
このように固定片に隔設されたＶ字状の切込みが、下地面の出入りに追従してその先端角が開閉するため、下地面の出入りに沿った湾曲した状態での取付けが可能であり、これによりアーチ状の天井、湾曲する壁等意匠目的、構造的制約等から複雑な出入りが組み合わされた下地面が交差するコーナーに沿って、自在に湾曲、追従した取付けができる。
【０００９】
請求項２の発明は、前記隣接する固定片の間に、前記Ｖ字状の切込みに連続する円形状の切欠きを設けたものであり、下地面の出入りに対する追従性を高めるとともに、切込み奥部周囲での亀裂発生を防止することができる。
【００１０】
【発明の実施の形態】
以下本発明の実施の一形態を図面に基づき説明する。
本発明のコーナー下地材１Ａは、図１、図２に示すように、天井下地材１０の表面からなる第１の下地面Ｆ１と、間仕切壁下地材１１からなる第２の下地面Ｆ２が交差するコーナー７に取り付けられ、第１の下地面Ｆ１、第２の下地面Ｆ２とともに仕上げシートＳの下地を形成する。
【００１１】
第１の下地面Ｆ１と、第２の下地面Ｆ２とは、このほか、互いに交差する２つの間仕切壁下地材の表面、飾り天井等において交差する２つの天井下地材の表面などの場合もある。また、仕上シートＳは壁紙、壁クロス、樹脂シート等を用い、第１の下地面Ｆ１から第２の下地面Ｆ２に亘り連続した仕上シートＳを貼付ける場合と、異なる材質、色柄の仕上シートＳを第１の下地面Ｆ１、第２の下地面Ｆ２に各々貼付ける場合がある。
【００１２】
また、本例では前記間仕切壁下地材１１からなる第２の下地面Ｆ２は、その水平断面視において凹部１２と凸部１３を具えた出入り１４を有し、他方前記天井下地材１０の表面からなる第１の下地面Ｆは略平滑である。
【００１３】
図１、図２に示すコーナー下地材１Ａは、折曲部２から前記第１の下地面Ｆ１と第２の下地面Ｆ２の表面に沿って延びる一対の固定片３Ａ、３Ｂを具え、一定程度の変形性能を有する塩化ビニル、ポリエチレン、ポリプロピレン、アクリル等の樹脂により、断面Ｌ字状に押出成形され、標準長さ、例えば５ｍに切断して使用される。また、折曲部２から先端までの長さＫ２は等しく、５〜７０ｍｍ、好ましくは１５〜４０ｍｍ、本例では３０ｍｍに形成される。
【００１４】
前記固定片３Ａ、３Ｂには、その縁辺から折曲部２に向かうＶ字状の切込み４を複数隔設し、固定片３Ａ、３Ｂの切込み４は、曲げ強度維持のため交互に千鳥状に形成する。本例のコーナー下地材１Ａは、図２、図３（Ａ）に示すように、固定片３Ａの切込み４の先端角を閉じ、固定片３Ｂが内側に湾曲した状態で第２の下地面Ｆ２の凹部１２に沿った取付けが可能である一方、図２、図３（Ｂ）に示すように、固定片３Ａの切込み４の先端角が開き、固定片３Ｂを外側に湾曲した状態で第２の下地面Ｆ２の凸部１３に沿った取付けが可能である。また前記湾曲の曲率は先端角の開閉により自在であり、さらに切込み４は複数隔設されるため、下地面Ｆの各箇所の出入りの曲率の変化にも対応、追従して湾曲し、隙間のない取付けができる。
【００１５】
また、図示されていないが、固定片３Ｂの切込み４の先端角が開閉して、前記天井下地材１０の表面からなる第１の下地面Ｆ１の出入りに対しても湾曲し、隙間のない取付けが可能であり、更に第１の下地面Ｆ１、第２の下地面Ｆ２双方が出入りする下地に対しても、固定片３Ａ、３Ｂ双方の切込み４の先端角の開閉で、隙間のない取付けが可能であり、アーチ状の天井、湾曲する壁等意匠目的、構造的制約等から複雑な出入りが組み合わされた下地面が交差するコーナーに沿って、自在に湾曲、追従して取付け、下地を形成できる。
【００１６】
また、間仕切壁下地材１１、天井下地材１０等の反り等の誤差、間仕切壁下地材１１を取付ける胴縁１５、天井下地材１０を取付ける野縁１６等の下地面Ｆに直角方向の位置のズレから生じる誤差などによる下地面Ｆ表面の僅かな波打ち状の出入りに対しても、切込み４の先端角の少しの開閉で出入りに追従して湾曲でき、これにより前記コーナー下地材１Ａと下地面Ｆ間の段差を防止し、仕上げシートＳ表面の平滑性が確保される。
【００１７】
さらに、固定片３と下地面Ｆを平滑化するためのパテ１７が切込み４内に充填されて相互の密着性が高まり、パテ１７による平滑性が高まるとともにパテ作業が容易となる。
【００１８】
前記切込み４の深さＫ１は、切込み４の開口幅Ｋ４に対し６０〜１００％であり、この範囲より小さいと、下地面Ｆの出入り１４に追従した変形が困難となるとともに、前記変形時に切込み４の先端から折曲部２に向かい亀裂が発生し易く、好ましくは７０〜９５％、本例では８０％に形成される。また、隣接する切込み４間の間隔Ｋ３は、切込み４の開口幅Ｋ４と等しく形成されたときは、Ｖ字状の切込み４が鋸刃状に連続した形状になり、通常Ｋ４の１．５〜３倍に形成される。更に、Ｖ字状の切込み４の拡開角度αは、５〜４５度、好ましくは１５〜３０度、本例では２０度に形成され、切込み４の隔設間隔が小さいときは、前記拡開角度αは小さく形成される。
【００１９】
また、本例のコーナー下地材１Ａは、前記Ｖ字状の切込み４の折曲部２側に、この切込み４に連続する切欠き６が形成され、切込み４の開閉により伸縮する切込み４奥部周囲の応力を緩和して、亀裂の発生を防止するとともに切込みの開閉範囲を拡大している。前記切欠き６は、円孔、楕円孔等円形状に形成され、かつ切込み４との間に１〜３ｍｍの幅の開口２３を介して連続させているが、開口を設けずに連続させることもできる。
【００２０】
さらに、パテ１７が前記切込み４に加えて切欠き６内にも充填されて相互の密着性が一層高まり、パテ１７による平滑性が高まるとともにパテ作業が容易となる。
【００２１】
前記切込み４、切欠き６は、断面Ｌ字状に押出成形された固定片３Ａ、３Ｂに、プレス成形で形成されるが、インジェクション成形により固定片３Ａ、３Ｂに成形させることもできる。
【００２２】
本例のコーナー下地材１Ａは、図１に示す如く、固定片３Ｂ背面に下地面Ｆへの仮固定に使用する離型紙１８付きの両面粘着テープ１９が貼着されている。この両面粘着テープ１９は、作業性のため、出入りする下地面Ｆ側の固定片３のみ具えることが好ましいが、双方の固定片３Ａ、３Ｂが具えることもある。また、両面粘着テープ１９に替えて、固定片３Ｂ背面に離型紙付きの粘着層を形成することもできる。
【００２３】
しかして、本例のコーナー下地材１Ａを用いて内装用の仕上シートを貼付けるに際して、先ず図４に示すように、天井下地材１０の表面からなる第１の下地面Ｆ１と、間仕切壁下地材１１からなる第２の下地面Ｆ２が交差するコーナー７にコーナー下地材１Ａを取付ける。このコーナー下地材１Ａは、図２に示すように、折曲部２から前記第１の下地面Ｆ１と第２の下地面Ｆ２の表面に沿って延びる一対の固定片３Ａ、３Ｂを具え、双方の固定片に、Ｖ字状の切込み４が複数隔設されており、前記固定片３Ｂ背面の両面粘着テープ１９を第２の下地面Ｆ２に貼着して仮固定する。
【００２４】
前記第２の下地面Ｆ２は、図２の如く、その水平断面視において凹部１２と凸部１３を含む出入り１４を備え、凹部１２に沿った取付箇所においては、図３（Ａ）に示す如く、固定片３Ａの切込み４の先端角が閉じ、第２の下地面Ｆ２に沿い固定片３Ｂが内側に湾曲した状態で仮固定し、凸部１３に沿った取付箇所においては、図３（Ｂ）に示す如く、固定片３Ａの切込み４の先端角が開き、第２の下地面Ｆ２に沿い固定片３Ｂが外側に湾曲した状態で仮固定する。固定片３Ｂの前記湾曲の曲率は、先端角の開閉により自在に変化させることができ、かつ切込み４は複数隔設されているため、下地面Ｆの各箇所の出入りの曲率の変化に対応して調整可能であり、追従して隙間のない取付けができる。さらに、間仕切壁下地材１１、天井下地材１０等の反り等の誤差、胴縁１５、野縁１６等の下地面Ｆに直角方向の位置ズレの誤差などによる下地面表面の僅かな波打ち状の出入りに対しても、これに追従して湾曲するため、前記コーナー下地材と下地面間の段差を防止し、仕上げシート表面の平滑性を確保できる。
【００２５】
次に、図５に示すように、コーナー７に仮止めされたコーナー下地材１Ａ、第１の下地面Ｆ１、第２の下地面Ｆ２とに亘りパテ１７の処理を行うことにより全体表面を平滑に均すとともに、コーナー下地材１Ａを固定し、次に、図６に示すように、第１の下地面Ｆ１、第２の下地面Ｆ２上に仕上シートＳを貼付ける。このように下地面Ｆが交差するコーナー７の出入りに追従、湾曲して隙間なく取付けたコーナー下地材１Ａの上にパテ１７で処理をして仕上シートＳを貼付けるため、出入り１４のある下地面Ｆに対しても、仕上シートＳのコーナーにシャープな折り目を形成できるとともに、段差のない平滑でしかもコーナー下地材１Ａで補強された仕上をなしうる。
【００２６】
また、切込み４の間に穿設された円孔２５は、パテが充填されてパテの食い付きを高めるため、コーナー下地材１Ｃと、下地面Ｆと、パテの一体性を高め、これにより安定した下地が形成される。
【００２７】
図７に示すコーナー下地材１Ｂは、折曲部２から第１の下地面Ｆ１と第２の下地面Ｆ２の表面に沿って延びる延びる一対の固定片３Ａ、３Ｂを具え、一方の固定片３ＡにＶ字状の切込み４を複数隔設し、第２の下地面Ｆ２の出入り対してのみ追従する機能を備えている。また、パテの食い付きを高めるため、固定片３Ｂに円孔２０が隔設されている。また、はさみ、ナイフ等の切削具で円孔２０に到る切込み（図示せず）を形成し、第１の下地面Ｆ１の出入り対し追従する機能を追加することもできる。
【００２８】
図８に示すように、折曲部２から第１の下地面Ｆ１と第２の下地面Ｆ２の表面に沿って延びる一対の固定片３Ａ、３Ｂを具え、前記固定片３Ａ、３Ｂに円孔２４が隔設されるとともに、円孔２０に到るＶ字状の切込み４形成用の目印２２を具えたコーナー下地部材２６を用い、下地面Ｆに出入りがあるときに、この目印２２を基準にしてはさみ、ナイフ等の切削具で切込み４を設けることにより、コーナー下地材１Ｃを形成することもできる。なお前記円孔２４は、パテの充填部となるため、下地面Ｆとの一体性が高まるとともにパテ作業を効率化しうる。
【００２９】
【発明の効果】
上述したように、請求項１記載の発明では、内装用の仕上げシートが貼付けられる第１の下地面と第２の下地面が交差するコーナーに取付けられ、前記仕上げシートの下地を形成する断面Ｌ字状のコーナー下地材であって、折曲部から第１の下地面と第２の下地面の表面に沿って延びる一対の固定片を具え、かつ少なくとも一方の固定片に、Ｖ字状の切込みを複数隔設したことを特徴とするため、固定片の切込みの先端角が開閉して、下地面の出入りに対して湾曲し、隙間のない取付けが可能であり、また下地材の反りなどによる下地面表面の僅かな波打ち状の出入りに対しても、切込みの先端角が少し開閉して出入りに追従して湾曲し、これにより前記コーナー下地材と下地面間の段差を防止し、仕上げシート表面の平滑性が確保できる。
【００３０】
また、請求項２記載の発明では、隣接する固定片の間に、前記Ｖ字状の切込みに連続する円形状の切欠きを設けることにより、切込み奥部周囲の応力が緩和され、亀裂の発生が防止されるともに切込みの開閉範囲が拡大する。
【図面の簡単な説明】
【図１】本発明の一実施の形態を例示する斜視図である。
【図２】その使用状態を例示する斜視図である。
【図３】（Ａ）、（Ｂ）は、その各々異なる箇所を示す拡大図である。
【図４】その使用の工程を説明する断面図である。
【図５】その異なる工程を説明する断面図である。
【図６】その更に異なる工程を説明する断面図である。
【図７】異なる形態を例示する斜視図である。
【図８】更に異なる形態を例示する斜視図である。
【図９】従来例を示す斜視図である。
【符号の説明】
１Ａ、１Ｂ、１Ｃ  コーナー下地材
２      折曲部
３、３Ａ、３Ｂ  固定片
４      切込み
６      切欠き
【図１】
2004225359.tif 000003
【図２】
2004225359.tif 000004
【図３】
2004225359.tif 000005
【図４】
2004225359.tif 000006
【図５】
2004225359.tif 000007
【図６】
2004225359.tif 000008
【図７】
2004225359.tif 000009
【図８】
2004225359.tif 000010
【図９】
2004225359.tif 000011